(57)【要約】【課題】  電子メールを用いて容易にかつ的確にコミュニケーションを図ることができる通信端末装置を提供すること。【解決手段】  携帯用電話機１００は、他の通信端末装置の所有者毎に、当該所有者との親密度などの設定期間を定めるための属性情報が予め設定されており、当該設定された属性情報に基づいて設定期間を変更して他の通信端末装置と電子メール（メールデータ）による通信を行うべき旨の告知または当該他の通信端末装置にメールデータを送信するための画面を表示させるようになっている。【選択図】      図１
2007052475.tif 000002
【特許請求の範囲】
【請求項１】
他の通信端末装置と通信可能な通信端末装置であって、
前記他の通信端末装置との通信を行う通信手段と、
前記他の通信端末装置と通信を行う際に用いる当該他の通信端末装置を識別し、かつ、特定するための識別情報が、当該他の通信端末装置の所有者の名称を示す名称情報毎に関連付けて格納されている格納手段と、
前記他の通信端末装置との通信を行った最新の日時を前記識別情報毎に日時情報として記憶手段に記憶する記憶制御手段と、
前記日時情報に基づいて前記他の通信端末装置との通信を行った最新の日時から予め設定された期間を示す設定期間の経過後に、前記他の通信端末装置と通信を行うべき旨の告知または当該他の通信端末装置との通信を行うために前記通信手段の起動の少なくとも何れか一方の通信予備動作を実行させる制御手段と、
を備えることを特徴とする通信端末装置。
【請求項２】
請求項１に記載の通信端末装置において、
前記各名称情報毎に前記所有者における属性を示す属性情報を予め設定するための設定手段を更に備え、
前記制御手段が、前記設定された属性情報に基づいて前記設定期間を変えて前記通信予備動作を実行させることを特徴とする通信端末装置。
【請求項３】
請求項２に記載の通信端末装置において、
前記設定手段が、前記属性情報として他の通信端末装置を所有する所有者との関係性に関して重要な度合いを示す重要度を設定するための手段であることを特徴とする通信端末装置。
【請求項４】
請求項２に記載の通信端末装置において、
前記設定手段が、前記他の通信端末装置との通信が生じた回数を示す通信回数に基づいて前記属性情報を設定することを特徴とする通信端末装置。
【請求項５】
請求項１乃至４の何れか一項に記載の通信端末装置において、
前記通信手段が、前記他の通信端末装置との通信を行うために起動した場合に、予め設定された文章データを当該他の通信端末装置に送信することを特徴とする通信端末装置。
【請求項６】
請求項１乃至５の何れか一項に記載の通信端末装置において、
前記制御手段が、所定のタイミングにて前記各日時情報に基づいて前記他の通信端末装置との通信を行った最新の日時から予め設定された期間を示す設定期間が経過したか否かを判定し、当該最新の日時から前記設定期間が経過したことを検出することによって前記予備動作を実行させることを特徴とする通信端末装置。
【発明の詳細な説明】
【技術分野】
【０００１】
本発明は、電子メールなどの通信を行う通信端末装置の分野に属する。
【背景技術】
【０００２】
近年、無線通信技術や種々の回路素子および表示装置の小型化など、周辺技術の発達に伴って、携帯用電話機などの通信端末装置が急速に普及している。また、通信端末装置が普及するにつれて、電話機に比べて、連絡を取りたい相手方との通話が不能の場合であっても、連絡をとることが可能であり、かつ、その内容をデータとして保存することができることから、電子メールというデータ通信を利用することが増加しており、携帯用電話機であっても、当該電子メールによって通信を行うことが増加している傾向にある。
【０００３】
従来、電子メールの送受信可能な通信端末装置では、当該電子メールの送受信にあたり、その利便性を向上させるために種々の機能が提供されている。特に、最近では、データ容量の確保および操作の煩雑さを解消する一つの機能として、重要度の高い電子メールのデータのみを選別して保存することができるものが知られている。
【０００４】
具体的には、この通信端末装置は、電子メールの送受信を行った他の通信端末装置の識別情報、例えば、メールアドレスに基づいて重要度を設定し、重要度の高い電子メールのデータ以外の電子メールのデータを破棄するようになっており、データ容量を確保し、かつ、データ整理などの煩雑な操作者の操作を不要にしている（例えば、特許文献１）。
【特許文献１】特開２００４−９４７００号公報
【発明の開示】
【発明が解決しようとする課題】
【０００５】
しかしながら、上述の電子メールの送受信可能な通信端末装置であっては、重要度の高いメールデータを保存しておくことができるが、他の通信端末装置との通信を行って適宜コミュニケーションを図るためには、操作者が操作する必要がある。
【０００６】
本発明は、上記の課題の一例を解決するものとして、電子メールを用いて容易にかつ的確にコミュニケーションを図ることができる通信端末装置を提供することを目的とする。
【課題を解決するための手段】
【０００７】
上記の課題を解決するために、請求項１に記載の発明は、他の通信端末装置と通信可能な通信端末装置であって、前記他の通信端末装置との通信を行う通信手段と、前記他の通信端末装置と通信を行う際に用いる当該他の通信端末装置を識別し、かつ、特定するための識別情報が、当該他の通信端末装置の所有者の名称を示す名称情報毎に関連付けて格納されている格納手段と、前記他の通信端末装置との通信を行った最新の日時を前記識別情報毎に日時情報として記憶手段に記憶する記憶制御手段と、前記日時情報に基づいて前記他の通信端末装置との通信を行った最新の日時から予め設定された期間を示す設定期間の経過後に、前記他の通信端末装置と通信を行うべき旨の告知または当該他の通信端末装置との通信を行うために前記通信手段の起動の少なくとも何れか一方の通信予備動作を実行させる制御手段と、を備える構成を有している。
【０００８】
この構成により、請求項１に記載の発明は、日時情報に基づいて前記他の通信端末装置との通信を行った最新の日時から予め設定された期間を示す設定期間の経過後に、他の通信端末装置と通信を行うべき旨の告知または当該他の通信端末装置との通信を行うために通信手段の起動の少なくとも何れか一方の通信予備動作を実行させる。
【０００９】
したがって、請求項１に記載の発明は、他の通信端末装置と通信を行った最終日時から所定期間の経過後に、他の通信端末装置との通信を行う機会が提供されるので、その機会を利用すれば、他の通信端末装置の所有者と容易にかつ的確に通信を行うことができ、コミュニケーションの円滑化を図ることができる。
【００１０】
また、請求項２に記載の発明は、請求項１に記載の通信端末装置において、前記各名称情報毎に、前記所有者における属性を示す属性情報を予め設定するための設定手段を更に備え、前記制御手段が、前記設定された属性情報に基づいて前記設定期間を変えて前記通信予備動作を実行させる構成を有している。
【００１１】
この構成により、請求項２に記載の発明は、設定された属性情報に基づいて設定期間を変えて通信予備動作を実行させる。
【００１２】
したがって、請求項２に記載の発明は、親密度などの他の通信端末装置を所有する所有者との関係性に関して重要な度合いを示す重要度または操作者との関係性など他の通信端末装置を有する所有者の属性に基づいて設定期間を変更することができるので、他の通信端末装置の所有者と容易にかつ的確に通信を行うことができ、コミュニケーションの円滑化を図ることができる。
【００１３】
また、請求項３に記載の発明は、請求項２に記載の通信端末装置において、前記設定手段が、前記属性情報として他の通信端末装置を所有する所有者との関係性に関して重要な度合いを示す重要度を設定するための手段であること構成を有している。
【００１４】
この構成により、請求項３に記載の発明は、属性情報として他の通信端末装置を所有する所有者との関係性に関して重要な度合いを示す重要度を設定するので、他の通信端末装置を有する所有者の重要度に基づいて設定期間を変更することができるとともに、当該他の通信端末装置の所有者と容易にかつ的確に通信を行うことができ、コミュニケーションの円滑化を図ることができる。
【００１５】
また、請求項４に記載の発明は、請求項２に記載の通信端末装置において、前記設定手段が、前記他の通信端末装置との通信が生じた回数を示す通信回数に基づいて前記属性情報を設定する構成を有している。
【００１６】
この構成により、請求項４に記載の発明は、他の通信端末装置との通信が生じた回数を示す通信回数に基づいて属性情報を設定し、操作者によって予め属性情報を設定することなく、属性情報に基づいて設定期間を変えて通信予備動作を実行させることができるので、当該他の通信端末装置の所有者と容易にかつ的確に通信を行うことができ、コミュニケーションの円滑化を図ることができる。
【００１７】
また、請求項５に記載の発明は、請求項１乃至４の何れか一項に記載の通信端末装置において、前記通信手段が、前記他の通信端末装置との通信を行うために起動した場合に、予め設定された文章データを当該他の通信端末装置に送信する構成を有している。
【００１８】
この構成により、請求項５に記載の発明は、他の通信端末装置との通信を行うための予備的動作を起動した後に、予め設定された文章データを当該他の通信端末装置に送信するので、設定期間中に通信が行われなかった場合に、操作者が所定の操作を行うことなく、通信コミュニケーションを図ることができる。
【００１９】
また、請求項６に記載の発明は、請求項１乃至４の何れか一項に記載の通信端末装置において、前記制御手段が、所定のタイミングにて前記各日時情報に基づいて前記他の通信端末装置との通信を行った最新の日時から予め設定された期間を示す設定期間が経過したか否かを判定し、当該最新の日時から前記設定期間が経過したことを検出することによって前記予備動作を実行させる構成を有している。
【００２０】
この構成により、請求項６に記載の発明は、所定のタイミングにて各日時情報に基づいて他の通信端末装置との通信を行った最新の日時から予め設定された期間を示す設定期間が経過したか否かを判定し、当該最新の日時から前記設定期間が経過したことを検出することによって予備動作を実行させるので、当該他の通信端末装置の所有者と容易にかつ的確に通信を行うことができ、コミュニケーションの円滑化を図ることができる。
【発明の効果】
【００２１】
本願発明は、他の通信端末装置と通信を行った最終日時から所定期間の経過後に、他の通信端末装置との通信を行う機会が提供されるので、その機会を利用すれば、他の通信端末装置の所有者と容易にかつ的確に通信を行うことができ、コミュニケーションの円滑化を図ることができる。
【発明を実施するための最良の形態】
【００２２】
次に、本発明に好適な実施の形態について、図面に基づいて説明する。
【００２３】
以下に説明する実施の形態は、電子メールにおける送受信機能を有する携帯用電話機に対して本願の通信端末装置を適用した場合の実施形態である。
【００２４】
なお、本実施形態において、電子メールとは、例えば、インターネットの電子メールサービスによって送受信される郵便と同様に文書を指定した宛先に送信することができるメール用のデータ（以下、「メールデータ」という。）をいい、ＡＲＰＡネットでのメールフォーマットの標準仕様として公開されているＭＩＭＥ（Multipurpose Internet Mail Extensions）規格（ＲＦＣ１５２１、ＲＦＣ１５２２またはＲＦＣ２０４５〜ＲＦＣ２０４９）に準ずるメールフォーマットを有するデータをいう。
【００２５】
まず、図１に用いて本願の携帯用電話機の構成について説明する。なお、図１は、本願に係る携帯用電話機の構成を示す構成図である。
【００２６】
本実施形態の携帯用電話機１００は、図１に示すように、他の電話機との通話を行う通話機能の他に、他の通信端末装置と電子メール、すなわち、メールデータの送受信を行うようになっている。
【００２７】
具体的には、本実施形態の携帯用電話機１００は、図示しない他の通信端末装置におけるメールデータを送受信する際に用いる予め格納された識別情報、すなわち、メールアドレスを用いて、当該メールの作成および他の通信端末への送信と、当該他の通信端末から送信されたメールデータの受信とを行うようになっている。
【００２８】
また、この携帯用電話機１００は、メールアドレスが通信端末装置の所有者の名称に対応付けて記憶されている場合には、当該メールアドレス毎に、最新のメールデータの送受信の日時情報、すなわち、最終的にメールデータを送信した日時の情報（以下、「最終送信日時情報」という。）または最終的に受信した日時の情報（以下、「最終受信日時情報」という。）を記憶するようになっている。
【００２９】
そして、この携帯用電話機１００は、最終的にメールデータを送受信した日時から予め設定された期間（以下、「設定期間」という。）が経過したメールアドレス先がある場合には、当該メールアドレスを有する他の通信端末装置とメールデータによる通信を行うべき旨の告知または当該他の通信端末装置にメールデータを送信するための画面を表示させる通信予備動作を実行し、他の通信端末装置の所有者とのコミュニケーションを図る機会を提供するようになっている。
【００３０】
特に、本実施形態の携帯用電話機１００は、他の通信端末装置の所有者毎に、当該所有者との親密度などの他の通信端末装置を所有する所有者との関係性に関して重要な度合いを示す重要度が設定期間を定めるための属性情報として予め設定されており、当該設定された属性情報に基づいて設定期間を変更して他の通信端末装置とメールデータによる通信を行うべき旨の告知または当該他の通信端末装置にメールデータを送信するための画面を表示させるようになっている。
【００３１】
なお、本実施形態の属性情報には、親密度に基づくメール送信における重要度が操作者の操作により予め設定されるようになっており、重要度には、「高」、「中」および「低」が定められている。また、重要度は、「高」から順に、設定期間が短く設定されており、例えば、重要度「高」の場合には、設定期間が「１月」、重要度「中」の場合には、設定期間が「２月」および重要度「低」の場合には、設定期間が「６月」に設定されている。ただし、この重要度または設定期間は、操作者の操作によって適宜設定することができるようになっている。
【００３２】
本実施形態の携帯用電話機１００は、図１に示すように、図示しないアンテナを介して他の電話機と通信を行うとともに他の通信端末装置とのメールデータの通信を行う通信制御部１１０と、他の通信端末装置の所有者の名称および属性に対応付けてメールアドレスの情報（以下、「アドレス情報」という。）とメールデータとが格納されるデータ格納部１２０と、メールデータの送受信を管理するデータ管理部１３０と、送信するメールデータを生成するための制御、特に、他の通信端末装置とメールデータによる通信を行うべき旨の告知または当該他の通信端末装置にメールデータを送信するための画面を表示させるための制御を行うデータ生成制御部１４０と、メールデータの生成などの各種の操作を行う際に用いられる操作部１５０と、を備えている。
【００３３】
また、この携帯用電話機１００は、メールデータを生成する際に操作部１５０と連動しつつ、送信すべきメールデータまたは他の通信端末装置とメールデータによる通信を行うべき旨を表示する表示部１６０と、当該表示部１６０の表示制御を行う表示制御部１７０と、メールデータを生成する際の制御など各部を制御するシステム制御部１８０と、各部を制御する際に用いられるＲＯＭ／ＲＡＭ１９０と、を備えている。
【００３４】
さらに、この携帯用電話機１００は、着信が生じた際にまたはメールデータの受信が行われた際に呼出音を拡声する呼出音拡声部２００と、固定電話機または他の携帯用電話機１００との通話を行うため、音声が入力されるマイクロホンＭと、入力された音声を所定の信号に処理する音声処理部２１０と、受信された音声データまたは他の通信端末装置とメールデータによる通信を行うべき旨を拡声するスピーカと、スピーカを制御する拡声制御部２２０と、を備えている。
【００３５】
なお、本実施形態の通信制御部１１０は、本発明の通信手段を構成し、データ格納部１２０は、本発明の格納手段および記憶手段を構成する。また、本実施形態のデータ管理部１３０は、本発明の記憶制御部、制御手段および設定手段を構成し、データ生成制御部１４０は、本発明の制御手段を構成する。さらに、本実施形態の操作部１５０は、本発明の設定手段を構成する。
【００３６】
通信制御部１１０は、アンテナＡＴを介して電話公衆網回線に接続されるようになっており、システム制御部１８０の制御の下、他の電話機または他の通信端末装置と通信制御を行うようになっている。
【００３７】
特に、本実施形態の通信制御部１１０は、メールデータを送信する場合に、当該メールデータに組み込まれた他の通信端末装置のアドレス情報に従って、所定の通信形式にて当該メールデータを送信するようになっている。また、この通信制御部１１０は、メールデータを受信した場合に、当該受信したメールデータを、データ管理部１３０を介してデータ格納部１２０に出力するようになっている。
【００３８】
データ格納部１２０には、他の通信端末装置の所有者の名称を示す氏名、通称名などの名称情報毎に、属性情報、アドレス情報、最終送信日時情報および最終送信日時情報が記憶されるとともに、送受信されたメールデータが履歴情報として記憶されるようになっている。
【００３９】
データ管理部１３０は、主に中央演算処理装置（ＣＰＵ）によって構成されるとともに、システム制御部１８０の制御の下、時刻の管理および期間計測を行うためのタイマーを有し、メールデータの送受信およびデータ格納部１２０におけるメールデータに関する情報の管理を行うようになっている。
【００４０】
具体的には、このデータ管理部１３０は、メールデータが受信される毎に、当該メールデータの受信日時を検出し、当該アドレス情報に属する最終受信日時情報を当該受信日時に書き換えるとともに、当該受信日時の情報（以下、「最終受信日時情報」という。）およびアドレス情報を伴って当該受信されたメールデータを履歴情報としてデータ格納部１２０に記憶するようになっている。
【００４１】
また、このデータ管理部１３０は、メールデータが送信される毎に、当該メールデータの送信日時を検出し、当該アドレス情報に属する最終送信日時情報を当該送信日時に書き換えるとともに、当該送信日時の情報（以下、「最終送信日時情報」という。）およびアドレス情報を伴って当該受信されたメールデータを履歴情報としてデータ格納部１２０に記憶するようになっている。
【００４２】
一方、このデータ管理部１３０は、予め設定された属性情報に基づいて設定期間を変更して他の通信端末装置とメールデータによる通信を行うべき旨の告知または当該他の通信端末装置にメールデータを送信するための画面を表示させる管理処理（以下、「コミュニケーション管理処理」という。）を行うようになっている。
【００４３】
具体的には、このデータ管理部１３０は、１時間毎、１日毎など予め定められた期間毎に、または、電源投入時などの予め定められたタイミングに、各名称情報において、最終受信日時情報および最終送信日時情報に基づいて、当該最終受信日時情報または最終送信日時情報の日時から当該属性情報に対応する設定期間が経過しているか否かを判断する処理（以下、「判断処理」という。）を行うようになっており、当該設定期間を経過している名称情報が存在する場合には、データ生成制御部１４０に他の通信端末装置とメールデータによる通信を行うべき旨の告知または当該他の通信端末装置にメールデータを送信するための画面の表示を実行する指示をデータ生成制御部１４０に行うようになっている。
【００４４】
データ生成制御部１４０は、主に中央演算処理装置（ＣＰＵ）によって構成されるとともに、システム制御部１８０の制御の下、データ管理部１３０の指示に従って、他の通信端末装置とメールデータによる通信を行うべき旨の告知または当該他の通信端末装置にメールデータを送信するための画面の表示を行わせるようになっている。
【００４５】
具体的には、このデータ生成制御部１４０は、データ管理部１３０によって当該最終受信日時情報または最終送信日時情報の日時から当該属性情報に対応する設定期間が経過している名称情報が存在する旨の指示が入力されると、当該名称情報を取得しつつ、表示制御部１７０または拡声制御部２２０を介して、当該名称情報を有する他の通信端末装置の所有者にメールデータを送信すべき旨の告知を行うようになっている。
【００４６】
例えば、データ生成制御部１４０は、表示制御部１７０を介して「○○さんにメールして！」を表示部１６０に表示させるとともに、拡声制御部２２０を介してスピーカから「○○さんにメールする時間だよ！」という音声を拡声させるようになっている。
【００４７】
一方、このデータ生成制御部１４０は、データ管理部１３０によって当該最終受信日時情報または最終送信日時情報の日時から当該属性情報に対応する設定期間が経過している名称情報が存在する旨の指示が入力されると、当該名称情報におけるアドレス情報を取得しつつ、表示制御部１７０を介して、当該取得されたアドレス情報宛に送信するためのメールデータを画面に表示させるようになっている。
【００４８】
例えば、データ生成制御部１４０は、メールデータの宛先に、当該取得されたアドレス情報を組み込むとともに、表示制御部１７０を介してメールを作成するための画像（以下、「メール作成画像」という。）、例えば、当該メールデータの「題名（Subject）」およびテキストデータなどの他の通信端末装置に伝達する伝達内容が未だ入力されていないメールデータを画面表示させるようになっている。
【００４９】
なお、データ生成制御部１４０は、操作部１５０と連動しつつ、画面表示されたメールデータの「題名（Subject）」および伝達する内容を入力させるようになっており、操作者によって送信指示が為されると、通信制御部１１０を介して各項目が入力されて作成されたメールデータをアドレス情報に従って他の通信端末装置に送信するようになっている。
【００５０】
操作部１５０は、各種確認ボタン、各操作指令を入力する操作ボタン、テンキーおよびその他の数字キーなど、多数のキーにより構成されており、特に、本実施形態の操作部１５０は、属性情報を設定する際に用いられるとともに、表示制御部１７０と連動してメールデータを作成する際に当該メールデータにおける種々の項目を入力する際に用いられている。
【００５１】
表示部１６０は、液晶素子またはＥＬ（Electro Luminescence）素子によって構成され、表示制御部１７０にて生成された表示データに基づいて所定の画像を表示するようになっている。特に、本実施形態の表示部１６０は、データ生成制御部１４０において生成されたメールデータの画像を表示するようになっている。
【００５２】
表示制御部１７０は、システム制御部１８０の制御の下、他の電話機との通話を行う際に、または、他の通信端末装置と通信を行う際に表示部１６０に種々の画像を表示するための表示データを生成するようになっている。
【００５３】
特に、本実施形態の表示制御部１７０は、データ生成制御部１４０の指示に従って、該当する他の通信端末装置の所有者にメールデータを送信すべき旨を示す表示データの生成または該当する他の通信端末装置の所有者に送信するメールデータを生成するための表示データを表示部１６０に表示出力するようになっている。
【００５４】
システム制御部１８０は、主に中央演算処理装置（ＣＰＵ）によって構成されるとともに、バスＢによって各部と接続されており、携帯用電話機１００の全般的な機能を総括的に制御するようになっている。
【００５５】
具体的には、このシステム制御部１８０は、携帯用電話機１００全体の動作を制御する際に、ＲＯＭ／ＲＡＭ１９０に格納される制御プログラムを読み出して各処理を実行し、当該ＲＯＭ／ＲＡＭ１９０に処理中のデータを一時的に保持するようになっている。
【００５６】
ＲＯＭ／ＲＡＭ１９０は、所定の動作を行う際の制御プログラムが記憶されている。特に、本実施形態では、コミュニケーション管理処理を行うための制御プログラムが記憶されている。
【００５７】
拡声制御部２２０は、システム制御部１８０の制御の下、他の電話機との通話を行う際に、または、他の通信端末装置と通信を行う際にスピーカに種々の音を拡声させるようになっており、特に、データ生成制御部１４０の指示に従って、該当する他の通信端末装置の所有者にメールデータを送信すべき旨を告知するための音をスピーカから拡声させるようになっている。
【００５８】
次に、図２を用いて本実施形態のデータ管理部１３０におけるコミュニケーション管理処理について説明する。なお、図２は、本実施形態のデータ管理部１３０におけるコミュニケーション管理処理の動作を示すフローチャートである。
【００５９】
以下の説明において、データ管理部１３０にて行われる判断処理は、予め定められた期間毎に、例えば１日１回午前０時に行われるものとし、当該時間に携帯用電話機１００の主電源が投入されていない場合には、その後に最初に投入された際に、行われるものとする。また、判断処理は、最終受信日時情報または最終送信日時情報の情報をそれぞれ用いて行うものとする。
【００６０】
まず、データ管理部１３０がコミュニケーション管理処理を実行するタイミングであることを検出すると（ステップＳ１１）、当該データ管理部１３０は、所定の順序に従って未だ当該タイミングにおいて判断処理されていない一のアドレス情報、属性情報、最終受信日時情報および最終送信日時情報の各情報を読み出す（ステップＳ１２）。
【００６１】
次いで、データ管理部１３０は、最終受信日時情報と最終送信日時情報の何れかの情報が最新であるか否かを判断するとともに、属性情報に基づいて当該読み出したアドレス情報の設定期間を決定する（ステップＳ１３）。
【００６２】
次いで、データ管理部１３０は、ステップＳ１３の処理において判断された最終日時情報と当該決定された設定期間に基づいて、タイマーを参照しつつ、現在の時刻が最終日時情報によって示される日時から設定期間の経過後であるか否かを判断する（ステップＳ１４）。
【００６３】
このとき、データ管理部１３０は、現在の時刻が最終日時情報によって示される日時から設定期間の経過後であると判断すると、ステップＳ１５の処理に移行し、現在の時刻が最終日時情報によって示される日時から設定期間の経過後でないと判断すると、ステップＳ１６の処理に移行する。
【００６４】
次いで、データ管理部１３０は、ステップＳ１４の処理において、現在の時刻が最終日時情報によって示される日時から設定期間の経過後であると判断すると、データ生成制御部１４０に、表示制御部１７０または拡声制御部２２０を、システム制御部１８０を介して制御させて、アドレス情報を有する他の通信端末装置とメールデータによる通信を行うべき旨の告知または当該他の通信端末装置にメールデータを送信するための画面を表示させる通信予備動作を実行させる（ステップＳ１５）。具体的には、データ管理部１３０は、スピーカまたは表示部１６０は、所定の音の拡声または画像を表示して、操作者に他の通信端末装置との通信を行う機会を提供する。
【００６５】
次いで、データ管理部１３０は、ステップＳ１４の処理において現在の時刻が最終日時情報によって示される日時から設定期間の経過後でないと判断され、または、ステップＳ１５の処理を実行すると、未だ、当該タイミングにおいて判定処理の対象となっていないアドレス情報（以下、「未処理名称情報」という。）の有無を判断し（ステップＳ１６）、未だ、当該タイミングにおいて判定処理の対象となっていないアドレス情報があると判断した場合には、ステップＳ１２の処理に移行し、未だ、当該タイミングにおいて判定処理の対象となっていないアドレス情報がないと判断した場合には、本動作を終了させる。
【００６６】
以上本実施形態の携帯用電話機１００は、他の通信端末装置と通信を行った最終日時から所定期間の経過後に、他の通信端末装置との通信を行う機会が提供されるので、その機会を利用すれば、他の通信端末装置の所有者と容易にかつ的確に通信を行うことができ、コミュニケーションの円滑化を図ることができる。
【００６７】
また、本実施形態の携帯用電話機１００は、親密度または操作者との関係性などの他の通信端末装置を有する所有者の属性、すなわち、重要度に基づいて設定期間を変更することができるので、他の通信端末装置の所有者と容易にかつ的確に通信を行うことができ、コミュニケーションの円滑化を図ることができる。
【００６８】
また、本実施形態の携帯用電話機１００は、他の通信端末装置を有する所有者の重要度に基づいて設定期間を変更することができ、当該他の通信端末装置の所有者と容易にかつ的確に通信を行うことができ、コミュニケーションの円滑化を図ることができる。
【００６９】
なお、本実施形態の携帯用電話機１００は、他の通信端末装置とメールデータによる通信を行うべき旨の告知を行うようになっているが、勿論、通話を行うべき旨の告知または通話を行う段階まで各部の制御を行うようにしてもよい。
【００７０】
また、本実施形態では、親密度に基づく重要度を属性として設定し、当該親密度に基づいて設定期間を変えるようになっているが、友人、家族または仕事関係など他の通信端末装置の所有者との関係性を属性として設定し、当該属性に基づいて設定期間を変えるようにしてもよい。例えば、属性情報に友人と設定されている場合には設定期間に「１月」を用い、家族と設定されている場合には、設定期間に「３月」に設定するようにしてもよい。
【００７１】
さらに、データ管理部１３０において、メールデータの送受信の回数または通話を含めた通信回数を記憶しておき、当該メールデータの送受信回数または通信回数に基づいて設定期間を変えるようにしてもよい。この場合には、データ管理部１３０は、メールデータの送受信回数または通信回数によって各名称情報をランク付けを行い、当該ランクに対応付けて重要度を決定するようにする。ただし、この場合には、データ管理部１３０が本発明の設定手段を構成することとなる。
【００７２】
また、本実施形態のデータ生成制御部１４０は、他の通信端末装置とメールデータによる通信を行うべき旨の告知または当該他の通信端末装置にメールデータを送信するための画面を表示させるようになっているが、操作者が所定の操作、すなわち、メールデータの生成操作を行うことなく、予め設定された文章データ、例えば、定型文をメールデータとして他の通信端末装置に送信するようにしてもよい。
【００７３】
また、本実施形態では、コミュニケーション管理処理において、最終日時情報に、最終受信日時情報および最終送信日時情報の何れの情報も用いるようになっているが、何れか一方の情報のみを用いるようにしてもよく、操作者が当該情報の利用の設定を行うようにしてもよい。
【００７４】
また、本実施形態では、データ管理部１３０、データ生成制御部１４０およびシステム制御部１８０は、それぞれ、中央演算処理装置（ＣＰＵ）によって構成されているが、同一の中央演算処理装置によって各構成を実現してもよいし、個々の中央演算処理装置によって各構成を実現してよい。
【００７５】
また、本実施形態では、属性情報に基づいてコミュニケーション管理処理を行うようになっているが、属性情報とスケジュールに基づいてコミュニケーション管理処理を行うようにしてもよい。
【００７６】
例えば、「居住国」または「居住地域」を属性として予め設定するようにし、設定期間を経過後であって、「お正月」または「クリスマス」などの当該居住国または居住地域に関する祭祀を行うと決められた日（祭日）に、他の通信端末装置とメールデータによる通信を行うべき旨の告知または当該他の通信端末装置にメールデータを送信するための画面を表示させるようにしてもよい。
【００７７】
この場合には、データ管理部１３０は、カレンダー機能を有し、各国または地域毎に予め祭日が設定されているようになっており、当該データ管理部１３０が設定期間の経過の有無を判定する判定処理を行う際に、名称情報毎に本日が、すなわち、コミュニケーション管理処理を行う当日が、祭日であるか否かを判定し、その判定結果に基づいて他の通信端末装置とメールデータによる通信を行うべき旨の告知または当該他の通信端末装置にメールデータを送信するための画面を表示させる。ただし、この祭日は、誕生日などの個人的な祭日でもよく、当該祭日は適宜操作部１５０によって設定することが可能とする。
【００７８】
また、本実施形態では、携帯用電話機１００を用いて説明しているが、勿論、メールデータを送受信可能な通信端末装置であれば本発明を適用することができる。
【図面の簡単な説明】
【００７９】
【図１】本願に係る一実施形態の携帯用電話機の構成を示す構成図である。
【図２】一実施形態のデータ管理部におけるコミュニケーション管理処理の動作を示すフローチャートである。
【符号の説明】
【００８０】
１００  …  携帯用電話機
１１０  …  通信制御部
１２０  …  データ格納部
１３０  …  データ管理部
１４０  …  データ生成制御部
１５０  …  操作部
１６０  …  表示部
１７０  …  表示制御部
１８０  …  システム制御部
１９０  …  ＲＯＭ／ＲＡＭ
２００  …  呼出音拡声部
２１０  …  音声処理部
２２０  …  拡声制御部
【図１】
2007052475.tif 000003
【図２】
2007052475.tif 000004